【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
ポリウレアウレタンを含むレンズを作製するための組成物であって、該ポリウレアウレタンが、以下：
ａ．ポリイソシアネートおよび少なくとも１つのＯＨ含有材料を含むポリウレアウレタンプレポリマーであって、該プレポリマーは、２．０〜２．５未満のＮＣＯ／ＯＨ当量比を有する、ポリウレアウレタンプレポリマー；ならびに
ｂ．アミン含有硬化剤、
の反応生成物を含み、該ＯＨ含有材料が、ポリエーテルポリオールではない、
組成物。
【請求項２】
前記ポリイソシアネートが、脂肪族ポリイソシアネート、脂環式ポリイソシアネート、芳香族ポリイソシアネート、およびこれらの混合物から選択される、請求項１に記載の組成物。
【請求項３】
前記ポリイソシアネートが、脂肪族ジイソシアネート、脂環式ジイソシアネート、芳香族ジイソシアネート、これらの環式二量体および環式三量体、ならびにこれらの混合物から選択される、請求項２に記載の組成物。
【請求項４】
前記ポリイソシアネートが、シクロヘキシルメタンおよびその異性体混合物から選択される、請求項３に記載の組成物。
【請求項５】
前記ポリイソシアネートが、４，４’−メチレンビス（シクロヘキシルイソシアネート）のトランス−トランス異性体から選択される、請求項４に記載の組成物。
【請求項６】
前記ポリイソシアネートが、３−イソシアナト−メチル−３，５，５−トリメチルシクロヘキシル−イソシアネート；メタ−テトラメチルキシレンジイソシアネート（１，３−ビス（１−イソシアナト−１−メチルエチル）−ベンゼン）およびこれらの混合物から選択される、請求項３に記載の組成物。
【請求項７】
前記ＯＨ含有材料が、ポリエステルポリオール、ポリカプロラクトンポリオール、ポリカーボネートポリオール、およびこれらの混合物から選択される、請求項１に記載の組成物。
【請求項８】
前記ＯＨ含有材料が、２００〜３２，０００の重量平均分子量を有する、請求項７に記載の組成物。
【請求項９】
前記ＯＨ含有材料が、２，０００〜１５，０００の重量平均分子量を有する、請求項８に記載の組成物。
【請求項１０】
前記ＯＨ含有材料が、エチレンオキシド−プロピレンオキシドおよびエチレンオキシド−ブチレンオキシドのブロックから選択されるブロックポリマーを含む、請求項１に記載の組成物。
【請求項１１】
前記ＯＨ含有材料が、以下の式：
Ｈ−（Ｏ−ＣＲＲＣＲＲ−Ｙｎ）ａ−（ＣＲＲＣＲＲ−Ｙｎ−Ｏ）ｂ−（ＣＲＲＣＲＲ−Ｙｎ−Ｏ）ｃ−Ｈ
のポリオールを含み、ここで、Ｒは、水素またはＣ１〜Ｃ６アルキルを表し得；Ｙは、ＣＨ２を表し得；ｎは、０〜６の整数であり得；ａ、ｂ、およびｃは、各々、０〜３００の整数であり得、ここで、ａ、ｂおよびｃは、該ポリオールの重量平均分子量が３２，０００を超えないように選択される、請求項１０に記載の組成物。
【請求項１２】
前記アミン含有硬化剤が、以下の化学式：
【化１】
2007138186.tif 000001
を有する材料およびその混合物から選択され、ここで、Ｒ１およびＲ２が、各々独立して、メチル基、エチル基、プロピル基、およびイソプロピル基から選択され、そしてＲ３が、水素および塩素から選択される、請求項１に記載の組成物。
【請求項１３】
前記アミン含有硬化剤が、４，４’−メチレンビス（３−クロロ−２，６−ジエチルアニリン）である、請求項１に記載の組成物。
【請求項１４】
前記アミン含有硬化剤が、２，４−ジアミノ−３，５−ジエチル−トルエン；２，６−ジアミノ−３，５−ジエチル−トルエン、およびこれらの混合物から選択される、請求項１に記載の組成物。
【請求項１５】
前記アミン含有硬化剤が、１．０  ＮＣＯ／０．６０  ＮＨ２〜１．０  ＮＣＯ／１．２０  ＮＨ２のＮＣＯ／ＮＨ２当量比を有する、請求項１に記載の組成物。
【請求項１６】
７３℃において２，０００ｃＰＳ未満の粘度をさらに有する、請求項１に記載の組成物。
【請求項１７】
ポリウレアウレタンを含むレンズであって、該ポリウレアウレタンが、以下：
ａ．ポリイソシアネートおよび少なくとも１つのＯＨ含有材料を含むポリウレアウレタンプレポリマーであって、該プレポリマーは、２．０〜２．５未満のＮＣＯ／ＯＨ当量比を有する、ポリウレアウレタンプレポリマー；ならびに
ｂ．アミン含有硬化剤、
の反応生成物を含み、該ＯＨ含有材料が、ポリエーテルポリオールではない、
レンズ。
【請求項１８】
前記ポリイソシアネートが、脂肪族ポリイソシアネート、脂環式ポリイソシアネート、芳香族ポリイソシアネート、およびこれらの混合物から選択される、請求項１７に記載のレンズ。
【請求項１９】
前記ポリイソシアネートが、脂肪族ジイソシアネート、脂環式ジイソシアネート、芳香族ジイソシアネート、これらの環式二量体および環式三量体、ならびにこれらの混合物から選択される、請求項１８に記載のレンズ。
【請求項２０】
前記ポリイソシアネートが、シクロヘキシルメタンおよびその異性体混合物から選択される、請求項１９に記載のレンズ。
【請求項２１】
前記ポリイソシアネートが、４，４’−メチレンビス（シクロヘキシルイソシアネート）のトランス−トランス異性体から選択される、請求項２０に記載のレンズ。
【請求項２２】
前記ポリイソシアネートが、３−イソシアナト−メチル−３，５，５−トリメチルシクロヘキシル−イソシアネート；メタ−テトラメチルキシレンジイソシアネート（１，３−ビス（１−イソシアナト−１−メチルエチル）−ベンゼン）およびこれらの混合物から選択される、請求項１９に記載のレンズ。
【請求項２３】
前記ＯＨ含有材料が、ポリエステルポリオール、ポリカプロラクトンポリオール、ポリカーボネートポリオール、およびこれらの混合物から選択される、請求項１７に記載のレンズ。
【請求項２４】
前記ＯＨ含有材料が、２００〜３２，０００の重量平均分子量を有する、請求項２３に記載のレンズ。
【請求項２５】
前記ＯＨ含有材料が、２，０００〜１５，０００の重量平均分子量を有する、請求項２４に記載のレンズ。
【請求項２６】
前記ＯＨ含有材料が、エチレンオキシド−プロピレンオキシドおよびエチレンオキシド−ブチレンオキシドのブロックから選択されるブロックポリマーを含む、請求項１７に記載のレンズ。
【請求項２７】
前記ＯＨ含有材料が、以下の式：
Ｈ−（Ｏ−ＣＲＲＣＲＲ−Ｙｎ）ａ−（ＣＲＲＣＲＲ−Ｙｎ−Ｏ）ｂ−（ＣＲＲＣＲＲ−Ｙｎ−Ｏ）ｃ−Ｈ
のポリオールを含み、ここで、Ｒは、水素またはＣ１〜Ｃ６アルキルを表し得；Ｙは、ＣＨ２を表し得；ｎは、０〜６の整数であり得；ａ、ｂ、およびｃは、各々、０〜３００の整数であり得、ここで、ａ、ｂおよびｃは、該ポリオールの重量平均分子量が３２，０００を超えないように選択される、請求項２６に記載のレンズ。
【請求項２８】
前記アミン含有硬化剤が、以下の化学式：
【化１】
2007138186.tif 000002
を有する材料およびその混合物から選択され、ここで、Ｒ１およびＲ２が、各々独立して、メチル基、エチル基、プロピル基、およびイソプロピル基から選択され、そしてＲ３が、水素および塩素から選択される、請求項１７に記載のレンズ。
【請求項２９】
前記アミン含有硬化剤が、４，４’−メチレンビス（３−クロロ−２，６−ジエチルアニリン）である、請求項１７に記載のレンズ。
【請求項３０】
前記アミン含有硬化剤が、２，４−ジアミノ−３，５−ジエチル−トルエン；２，６−ジアミノ−３，５−ジエチル−トルエン、およびこれらの混合物から選択される、請求項１７に記載のレンズ。
【請求項３１】
前記アミン含有硬化剤が、１．０  ＮＣＯ／０．６０  ＮＨ２〜１．０  ＮＣＯ／１．２０  ＮＨ２のＮＣＯ／ＮＨ２当量比を有する、請求項１７に記載のレンズ。
【請求項３２】
７３℃において２，０００ｃＰＳ未満の粘度をさらに有する、請求項１７に記載のレンズ。